(57)【要約】【課題】安定した定圧出力を維持する定圧弁を提供する。【解決手段】定圧弁は、弁本体１、ベース２、作動体３、パッキン４、及びスプリング５を有する。弁本体１は、二段式の中空の開口した弁室１１、第一出口１３を有し、弁室１１内壁の末端には内側螺旋部分１２を有する。ベース２は、外側螺旋部分２１を有する突起状を呈し、前端の柱部分２２表面がスプリング５を挿通し、最先端の第一凹型リング溝２２１には第一シールワッシャ２Ａが設置され、内部が二段式の中空の開口部となっている。ベース２は、前端に流通路２３を形成し、空圧源の圧力が作用する。作動体３の第二凹型リング溝３１には第二シールワッシャ３Ａが設置されて、内側凹部空間３２は前端の突起部３３両側の第二出口３４と連通する。【選択図】図１
0003163101.tif 000002
【実用新案登録請求の範囲】
【請求項１】
ニューマチックツールの空圧輸送パイプライン中に設置され、弁本体、ベース、作動体、パッキン、及びスプリングを有し、
前記作動体、前記パッキン、及び前記スプリングは、前記弁本体及び前記ベースの間に設置され、
前記弁本体は、内に二段式の中空の開口した弁室が形成され、先端に第一出口を有し、前記弁室内壁の末端には内側螺旋部分を有し、
前記ベースは、外側螺旋部分を有する突起状を呈し、前端の柱部分表面が前記スプリングを挿通し、最先端の第一凹型リング溝には第一シールワッシャが設置され、内部が二段式の中空の開口部となり、前端に流通路を形成し、空圧源の空圧力が作用し、
前記作動体は、第二凹型リング溝に第二シールワッシャが設置され、内側凹部空間は前端の突起部両側の第二出口と連通することを特徴とする定圧弁。
【考案の詳細な説明】
【技術分野】
【０００１】
本考案は、定圧弁に関する。
【背景技術】
【０００２】
一般に、ニューマチックツールの空圧輸送パイプに使用される空圧力は、空圧源の供給により不安定であり、出力後の数値の大きさにある程度の変化があり、それに伴って、ツール使用の際の実施効果も影響を受ける。これは、小型ニューマチックツールを使用する際に与える影響が特に顕著である。場合によっては、ツールに損傷を与える虞や設備を更新する必要も生じて、その結果、製造コストの増加、製品の品質の不安定や作業効率の低下を招く。
【考案の概要】
【考案が解決しようとする課題】
【０００３】
本考案は、出力後の数値の大きさに変化を与えず、安定した定圧出力を維持する定圧弁を提供することを目的とする。
【課題を解決するための手段】
【０００４】
上記目的を達成するため、本考案に係る定圧弁は、弁本体、作動体、パッキン、及びスプリングを有する。作動体、パッキン、及びスプリングは弁本体及びスペースの間に設置される。弁本体は、内に二段式の中空の開口した弁室が形成され、先端に第一出口を有する。弁室内壁の末端には内側螺旋部分を有する。ベースは、外側螺旋部分を有する突起状を呈していることで、前端の柱部分表面がスプリングを挿通する。さらに、最先端の第一凹型リング溝には第一シールワッシャが設置され、内部が二段式の中空の開口部となっているため、前端に流通路を形成し、空圧源の空圧力が進入する。作動体の第二凹型リング溝には第二シールワッシャが設置され、内側凹部空間は前端の突起部両側の第二出口と連通する。
【０００５】
作動体、パッキン、及びスプリングは、弁本体及びベースの間に設置された後、ベースの外側螺旋部分が弁本体内の内側螺旋部分中にねじ込まれ、組立てが完了する。そして、それぞれ空圧源及び空圧機器が接続され、定圧弁の調節、制御パーツの空圧力数値設定後、空圧源から空圧力が入力され、ベースからその内部の流通路を経て作動体に送られ、さらに、作動体両側の第二出口から弁本体の第一出口に導かれて出力供給される。
調節、制御パーツの空圧力の数値がすでに設定されている関係で、入力された空圧力が増加した時、設定値を超えた空圧力がスプリングを押して、作動体が移動することによって調節され、また、入力された空圧力が減少した時、スプリングが作動体を元の位置に押し戻すことで、設定された空圧力値の定圧において出力を持続する。
（考案の効果）
本考案の定圧弁によると、出力後の数値の大きさに変化を与えず、安定した定圧出力を維持することができる。
【図面の簡単な説明】
【０００６】
【図１】本考案の一実施形態による定圧弁を示す分解斜視図である。
【図２】本考案の一実施形態による定圧弁を示す斜視図である。
【図３】本考案の一実施形態による定圧弁を示す断面図である。
【図４Ａ】本考案の一実施形態による定圧弁の動作時の断面の状態を示す模式図（その一）である。
【図４Ｂ】本考案の一実施形態による定圧弁の動作時の断面の状態を示す模式図（その二）である。
【考案を実施するための形態】
【０００７】
（一実施形態）
先ず、図１を参照しながら説明する。本考案の一実施形態による定圧弁は、ニューマチックツールの空圧輸送パイプライン中に設置され、定圧出力により調整、制御作用を行なう。本考案の一実施形態に係る定圧弁全体は、弁本体１、ベース２、作動体３、パッキン４、及びスプリング５から構成される。
このうち、弁本体１は、内に二段式の中空の開口した弁室１１が形成され、先端に第一出口１３を有する。弁室１１の内壁の末端には内側螺旋部分１２を有する。
ベース２は、外側螺旋部分２１を有する突起状を呈していることで、前端の柱部分２２の表面がスプリング５を挿通する。さらに、最先端の第一凹型リング溝２２１には第一シールワッシャ２Ａが設置され、内部が二段式の中空の開口部となっているため、前端に流通路２３を形成して、空圧源の空圧力Ｐが進入する。
作動体３は、第二凹型リング溝３１に第二シールワッシャ３Ａが設置されて、内側凹部空間３２は前端の突起部３３の両側の第二出口３４と連通する。
作動体３、パッキン４、及びスプリング５が、弁本体１及びベース２の間に設置された後、ベース２の外側螺旋部分２１が弁本体１の内の内側螺旋部分１２の中にねじ込まれて、組立てが完了する（図２参照）。組立が完了した後、その両端のジョイント部分にはそれぞれ空圧源及び空圧機器が接続される。さらに、調節、制御パーツの空圧力数値設定後、空圧源から空圧力Ｐが入力され、ベース２からその内部の流通路２３を経て作動体３に送られ、さらに、作動体３の両側の第二出口３４から弁本体１の第一出口１３に導かれて出力供給される（図３参照）。
【０００８】
この過程において、出力空圧力全体の数値は、すでに調節、制御パーツによって設定済みである。このため、入力される空圧力Ｐが増加して過大空圧力Ｐ１が発生した時、設定値を超えた余剰空圧力Ｐ２がスプリング５を押し、それに伴って、作動体３が移動することによって調節される（図４Ｂ参照）。また、入力された空圧力Ｐが減少した時、設定値を超えない余剰空圧力Ｐ２の下で、スプリング５が作動体３を元の位置に押し戻す（図４Ａ参照）ことで、実際に出力した空圧力Ｐは設定値において出力を持続する。このようにして、定圧出力の目的を達成する。
【符号の説明】
【０００９】
１    ・・・弁本体、
１１  ・・・弁室、
１２  ・・・内側螺旋部分、
１３  ・・・第一出口、
２    ・・・ベース、
２１  ・・・外側螺旋部分、
２２  ・・・柱部分、
２２１・・・第一凹型リング溝、
２３  ・・・流通路、
２Ａ  ・・・第一シールワッシャ、
３    ・・・作動体、
３１  ・・・第二凹型リング溝、
３２  ・・・内側凹部空間、
３３  ・・・突起部、
３４  ・・・第二出口、
３Ａ  ・・・第二シールワッシャ、
４    ・・・パッキン、
５    ・・・スプリング、
Ｐ    ・・・空圧力、
Ｐ１  ・・・過大空圧力、
Ｐ２  ・・・余剰空圧力。
【図１】
0003163101.tif 000003
【図２】
0003163101.tif 000004
【図３】
0003163101.tif 000005
【図４Ａ】
0003163101.tif 000006
【図４Ｂ】
0003163101.tif 000007